(57)【要約】【課題】デザイン的に優れた日頃着用できるショーツであり、かつ、緊急時には咄嗟に応急処置ができるショーツを提供する。【解決手段】前身頃４と、後見頃６と、該前身頃４と該後見頃６との間に位置するクロッチ部８とを有するショーツ１であって、該前身頃４にパッド２を着脱可能に備え、生理や尿失禁やおりものが多いなど緊急のときに該パッド２を該クロッチ部８に着脱可能に装着できる。【選択図】図７
2009155740.tif 000002
【特許請求の範囲】
【請求項１】
親水部を有するパッド（２）を表面に着脱可能に装着できる前身頃（４）と、
後見頃（６）と、
前記前身頃（４）と前記後見頃（６）との間に位置し、前記パッド（２）を着脱可能に装着できるクロッチ部（８）と
を備えることを特徴とするショーツ。
【請求項２】
前記パッド（２）及び前記前身頃（４）は、それぞれ面ファスナー（１２，１４）が取り付けられていることを特徴とする請求項１記載のショーツ。
【請求項３】
前記パッド（２）は、表面（２０）が前記親水部、裏面（２２）が防水部であり、該表面（２０）が肌に接するように前記クロッチ部（８）に着脱可能に装着できることを特徴とする請求項１又は２記載のショーツ。
【請求項４】
前記パッド（２）は、羽、ハート及び四つ葉のクローバからなる群から選ばれた少なくとも１の形状であることを特徴とする請求項１乃至３いずれかに記載のショーツ。
【発明の詳細な説明】
【技術分野】
【０００１】
本発明は、パッドを備えたショーツに関し、より詳細には通常はデザイン的効果を発揮し、生理や尿失禁など緊急のときには液体吸収材として使用することができるパッドを備えたショーツに関する。
【背景技術】
【０００２】
従来例にあっては、生理用ナプキンを収容できるポケットを有するショーツが提案されているが（特許文献１参照）、生理用ナプキンを常に用意しておく必要があった。
【０００３】
また、股部に二重構造で構成されているクロッチ部が設けられ、該クロッチ部内面に収容部が形成されており、該収容部にティシュペーパーなどをあてがうことができる婦人用ショーツが紹介されている（特許文献２参照）。しかしながら、この場合にも、ティシュペーパー、生理用ナプキンなどを常に用意しておく必要があった。
【特許文献３】特開２０００−３０３２０５号公報
【特許文献１】特開２００５−１６８６５１号公報
【発明の開示】
【発明が解決しようとする課題】
【０００４】
ナプキンや生理用ショーツを目立たずに携行できても、携帯するのは面倒であるという問題が指摘されていた。急に生理になったときやなりそうなときなどには、応急処置として、ポケットティッシュやトイレットペーパーなどをあてがっていたが、動くとずれてしまい、ショーツを汚し、非常に不快感や不便を感じていた。
【０００５】
本発明は、かかる従来技術の有する課題に鑑み、日頃着用できるショーツであり、かつ、緊急時には咄嗟に応急処置ができるショーツを提供することを目的とする。
【課題を解決するための手段】
【０００６】
本発明のショーツは、親水部を有するパッドを表面に着脱可能に装着できる前身頃と、後見頃と、前記前身頃と前記後見頃との間に位置し、前記パッドを着脱可能に装着できるクロッチ部とを備えることを特徴とする。
【０００７】
前記パッド及び前記前身頃にそれぞれ面ファスナーが取り付けられていることが好ましい。面ファスナーを使用することにより人がショーツを身に着けて動作してもパッドがショーツから容易に外れないが、緊急の場合にはそれほど力を加えなくても取り外すことができる。面ファスナーとしては、（株）クラレ製のマジックテープ（登録商標）等が挙げられる。
【０００８】
前記パッドに面ファスナーを取り付け、該面ファスナーによりクロッチ部に装着することが好ましい。また、該パッドをクロッチ部に装着したときクロッチ部の素材と当接する該パッドの表面に面ファスナーが取り付けられていることが好ましい。このことにより、該パッドがクロッチ部から外れにくくなる。
【０００９】
前記パッドの表面が親水部、裏面が防水部であり、該表面が肌に接するように該クロッチ部に着脱可能に装着できるショーツであることが好ましい。このことにより、人体から排出される水性成分が効率的にパッドに吸収され、ショーツからの漏れを防止できる。
【００１０】
本発明において、親水部は、尿、経血、おりもの等の液体吸収性、液体拡散性、液体保持性を有するものを意味し、シート状の形状を有する。親水部を形成する素材としては、上記作用を有すれば特に限定されず、例えば、綿、吸水アクリル、吸水ポリエステル、キュプラ、レーヨン等の織物、ニット、不織布等が挙げられる。
【００１１】
親水部を２層構造とし、１層を液体吸収性ポリマー層とすることができる。素材としては、通常一般の生理用パッドや使い捨ておむつに用いられる液体吸収性ポリマーを使用することができ、例えばビニルアルコール−アクリル酸塩共重合体、アクリル酸ソーダ重合体等の吸水性ポリマーが挙げられる。
【００１２】
本発明において、防水部は防水性のあるシート状の形状を有し、素材としては、防水機能を有すれば特に限定はされないが、例えばポリエステルを主体とするメッシュ状の布地が挙げられる。
【００１３】
前記パッドが羽、ハート、四つ葉のクローバからなる群から選ばれた少なくとも１の形状であることが好ましい。このことにより、通常時にはショーツのデザインの一部としての機能を果たし、緊急時にはナプキンの機能を果たすパッドを備えたショーツが提供されるので、日頃からデザイン的に優れたショーツを着用できる。
【発明の効果】
【００１４】
本発明にかかるショーツは、前身頃にパッドを着脱可能に備え、生理や尿失禁やおりものが多いなど緊急のときに該パッドを該クロッチ部に着脱可能に装着できるので、日頃着用でき、かつ、緊急時には咄嗟に応急処置ができる。
【００１５】
さらに、本発明にかかるショーツは、パッドが羽、ハート、四つ葉のクローバなどの形状であるので、デザイン的に優れたショーツであり、日頃、違和感なく着用できる。
【発明を実施するための最良の形態】
【００１６】
以下、本発明のショーツの実施形態について添付図面に基づいて詳細に説明するが、本発明は、これに限定されて解釈されるものではなく、本発明の範囲を逸脱しない限りにおいて、当業者の知識に基づいて、種々の変更、修正、改良を加え得るものである。
【００１７】
図１は、本発明の一実施形態にかかるショーツ１の正面図を示す。図２は背面図、図３は展開図を示す。この第１の実施形態では、ショーツの前身頃４に四つ葉のクローバをデザインしたパッド２が面ファスナー１２にて着脱可能に取り付けられている。具体的には、前身頃４に面ファスナー１４が貼り付けられ、パッド２の裏面２２の対応する箇所にも対応する位置にも面ファスナー１２が取り付けられているので、これらの面ファスナー１２，１４によって着脱可能に取り付けられる。
【００１８】
本実施形態にて使用するパッド２を取り付けるショーツは通常の方法で製造されたものであれば特に限定されない。ダブルクロッチ、ボーイレッグ、はぎ合わせ、シームレス構造のいずれかであってもよいし、その他の構造のものであってもよい。本実施形態では、商品名「ロリエ  おうちモード」（発売元：花王（株））を使用する。面ファスナーとしては、商品名「マジクロステープ」（発売元：貝印（株））を使用する。
【００１９】
図４は、第１の実施形態にて四つ葉のクローバ形状のパッド２を示し、図４ａは正面図であり表面２０を示し、図４ｂは背面図であり裏面２２をそれぞれ示す。図４ｃは図４ａのＡ−Ａ線断面を示す。面ファスナー１２が表面２０に１か所、裏面２２に４か所、貼着されている。本実施形態では、表面２０の材質は不織布とし、裏面２２の材質はポリエステルを主体とするメッシュ状の布地とする。
【００２０】
このように、デザイン的に優れたショーツ１なので、日常的に違和感なく着用することができる。そして、急に生理になったときなどの緊急時には、携帯するのが面倒であるナプキンや生理用ショーツを持ち合わせていなくても応急処置として、パッド２を前身頃４から取り外し、クロッチ部８に装着することにより急場をしのぐことができる。
【００２１】
図５は、パッド２をクロッチ部８に装着した状態を示し、図６は、図５のＢ−Ｂ線断面を示す。図５及び図６は、一装着例を示すもののであり、クロッチ部８が二重構造であれば、その間に挟むことができるし、クロッチ部８の内面に一縁を解放した帯状物を設けることにより、該帯状物にパッド２を取り付けることも可能である。
図５では、親水部を有する表面２０が肌に接するようにパッド２をクロッチ部８に巻き付ける。そして、図６に示すように股下部でパッド２に貼り付けてある面ファスナー１２同士を圧着することによって装着する。
【００２２】
図７は、本発明の第２の実施形態にかかるショーツ１を示す。なお、図７において、図１で用いた構成要素と同一の構成要素には同一符号を付し、その説明は省略する。
第２の実施形態では、ショーツの前身頃４に鳥の羽をデザインしたパッド２が２つ取り付けられている。
【００２３】
第２の実施形態では、パッド２が２つ取り付けられているので、緊急なときには１つのパッド２を取り外して使用し、もう１つは予備とすることができる。あるいは、おりものなどの量が多いときには２つを一度に使用することにより、多量の液体吸収材としての機能を発揮させることができる。
【００２４】
図８は、本発明の第３の実施形態にかかるショーツ１を示す。なお、図８において、図１で用いた構成要素と同一の構成要素には同一符号を付し、その説明は省略する。
第３の実施形態では、ショーツの前身頃４にハート形状のパッド２が取り付けられている。このように本発明にかかるショーツ１では、デザイン的に優れた好みの形状のパッド２とすることができる。さらに、使用後には洗浄することにより再使用することも可能である。
【産業上の利用可能性】
【００２５】
本発明は、女性用のショーツとして利用できる。また、尿失禁のある人が着用するショーツとして利用できる。
【図面の簡単な説明】
【００２６】
【図１】本発明の第１の実施形態にかかるショーツ１を示す正面図である。
【図２】本発明の第１の実施形態にかかるショーツ１を示す背面図である。
【図３】本発明の第１の実施形態にかかるショーツ１を示す背面図である。
【図４】第１の実施形態のパッド２を示し、図４ａは正面図、図４ｂは背面図、図４ｃは図４ａのＡ−Ａ線断面図である。
【図５】第１の実施形態のパッド２の一使用例を示す展開図である。
【図６】図５のＢ−Ｂ線断面図である。
【図７】本発明の第２の実施形態にかかるショーツ１を示す正面図である。
【図８】本発明の第３の実施形態にかかるショーツ１を示す正面図である。
【符号の説明】
【００２７】
１      
ショーツ
２
パッド
４
前身頃
６
後身頃
８
クロッチ部
１２，１４  
面ファスナー
【図１】
2009155740.tif 000003
【図２】
2009155740.tif 000004
【図３】
2009155740.tif 000005
【図４】
2009155740.tif 000006
【図５】
2009155740.tif 000007
【図６】
2009155740.tif 000008
【図７】
2009155740.tif 000009
【図８】
2009155740.tif 000010